【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
ｐＨが７未満のポリマー接着剤材料と、
カチオン性増粘剤およびｐＫａが３未満の少なくとも１つのアニオン性モノマーから形成されたアニオン性増粘剤からなる群から選択されたイオン性増粘剤と、
水と、
を含む水性接着剤組成物であって、
前記水性接着剤組成物の曳糸長が９ｃｍ以下であり、垂下距離が１０ｍｍ以下であり、位相遅れが４５度以下であり、また硬化時間が７５秒以下である組成物。
【請求項２】
前記イオン性増粘剤がカチオン性架橋ポリマー増粘剤を含み、また前記カチオン性架橋ポリマー増粘剤が、メタクリロイルオキシアルキルトリアルキルアンモニウム塩、アクリロイルオキシアルキルトリアルキルアンモニウム塩、および四級化ジアルキルアミノアルキルアクリルアミジン塩からなる群から選択された少なくとも１つのモノマー単位を含む、請求項１に記載の水性接着剤組成物。
【請求項３】
前記ポリマー接着剤材料が酢酸ビニルを含む、請求項１に記載の水性接着剤組成物。
【請求項４】
分注開口部を有するディスペンサー容器、および
ディスペンサー容器内に配置された請求項１〜３のいずれか一項に記載の水性接着剤組成物
を含む物品であって、ディスペンサー容器の開口部の断面積が０．２〜５０ｍｍ2の範囲である、物品。
【手続補正２】
【補正対象書類名】明細書
【補正対象項目名】０００５
【補正方法】変更
【補正の内容】
【０００５】
本願発明の第一の態様は、
ｐＨが７未満のポリマー接着剤材料と、
カチオン性増粘剤およびｐＫａが３未満の少なくとも１つのアニオン性モノマーから形成されたアニオン性増粘剤からなる群から選択されたイオン性増粘剤と、
水と、
を含む水性接着剤組成物であって、
前記水性接着剤組成物の曳糸長が９ｃｍ以下であり、垂下距離が１０ｍｍ以下であり、位相遅れが４５度以下であり、硬化時間が７５秒以下である組成物に関する。
【手続補正３】
【補正対象書類名】明細書
【補正対象項目名】０００６
【補正方法】変更
【補正の内容】
【０００６】
本願発明の第二の態様は、
前記イオン性増粘剤がカチオン性架橋ポリマー増粘剤を含み、また前記カチオン性架橋ポリマー増粘剤が、メタクリロイルオキシアルキルトリアルキルアンモニウム塩、アクリロイルオキシアルキルトリアルキルアンモニウム塩、および四級化ジアルキルアミノアルキルアクリルアミジン塩からなる群から選択された少なくとも１つのモノマー単位を含む、前記第一の態様の水性接着剤組成物に関する。
【手続補正４】
【補正対象書類名】明細書
【補正対象項目名】０００７
【補正方法】変更
【補正の内容】
【０００７】
本願発明の第三の態様は、
前記ポリマー接着剤材料が酢酸ビニルを含む、前記第一の態様の水性接着剤組成物に関する。
【手続補正５】
【補正対象書類名】明細書
【補正対象項目名】０００８
【補正方法】変更
【補正の内容】
【０００８】
本願発明の第四の態様は、
分注開口部を有するディスペンサー容器、および
ディスペンサー容器内に配置された前記第一〜三の態様の水性接着剤組成物
を含む物品であって、ディスペンサー容器の開口部の断面積が０．２〜５０ｍｍ2の範囲である、物品に関する。
【手続補正６】
【補正対象書類名】明細書
【補正対象項目名】０００９
【補正方法】削除
【補正の内容】
【手続補正７】
【補正対象書類名】明細書
【補正対象項目名】００９２
【補正方法】変更
【補正の内容】
【００９２】
本明細書に引用したすべての特許、特許文献、刊行物の完全な開示を参照により、組み込む。上記の詳細な説明および実施例は、理解を明確にするために挙げられたものにすぎない。このことから、不必要に限定されていないことが理解されよう。当業者に自明な変形は、特許請求の範囲で定義される本発明に包含されるので、本発明は、先に示し、記載した正確な詳述に限定されない。
以下に、本願発明に関連する発明の実施態様について列挙する。
［第一の実施態様］
ｐＨが７未満のポリマー接着剤材料と、
カチオン性増粘剤、またはｐＫａが３未満の少なくとも１つのアニオン性モノマーから形成されたアニオン性増粘剤と、
水と、
を含む水性接着剤組成物であって、
前記水性接着剤組成物の曳糸長が９ｃｍ以下であり、垂下距離が１０ｍｍ以下である組成物。
［第二の実施態様］
前記ポリマー接着剤材料のｐＨが６以下である、第一の実施態様の接着剤。
［第三の実施態様］
前記ポリマー接着剤材料のｐＨが５以下である、第一の実施態様の接着剤。
［第四の実施態様］
前記水性接着剤組成物の位相遅れが４５度以下である、第一の実施態様の接着剤。
［第五の実施態様］
前記水性接着剤組成物の位相遅れが３０度以下である、第一の実施態様の接着剤。
［第六の実施態様］
前記水性接着剤組成物の垂下距離が３ｍｍ以下である、第一の実施態様の接着剤。
［第七の実施態様］
前記水性接着剤組成物の粘度が３，０００〜１００，０００ｃＰである、第一の実施態様の接着剤。
［第八の実施態様］
前記水性接着剤組成物の硬化時間が７５秒以下である、第一の実施態様の接着剤。
［第九の実施態様］
前記水性接着剤組成物の複素せん断弾性率が１００Ｐａ以上である、第一の実施態様の接着剤。
［第十の実施態様］
前記カチオン性増粘剤がカチオン性会合性ポリマー増粘剤を含む、第一の実施態様の接着剤。
［第十一の実施態様］
前記カチオン性増粘剤がカチオン性架橋ポリマー増粘剤を含む、第一の実施態様の接着剤。
［第十二の実施態様］
前記カチオン性架橋ポリマー増粘剤が、メタクリロイルオキシアルキルトリアルキルアンモニウム塩、アクリロイルオキシアルキルトリアルキルアンモニウム塩、および四級化ジアルキルアミノアルキルアクリルアミジン塩からなる群から選択された少なくとも１つのモノマー単位を含む、第十一の実施態様の接着剤。
［第十三の実施態様］
前記ポリマー接着剤材料が酢酸ビニルを含む、第一の実施態様の水性接着剤。
［第十四の実施態様］
ｐＨが７未満のポリマー接着剤材料と、
カチオン性増粘剤、またはｐＫａが３未満の少なくとも１つのアニオン性モノマーから形成されたアニオン性増粘剤と、
水と、
を含む水性接着剤組成物であって、
前記接着剤組成物の位相遅れが３０度以下である組成物。
［第十五の実施態様］
前記水性接着剤組成物の垂下距離が１０ｍｍ以下である、第十四の実施態様の接着剤。
［第十六の実施態様］
前記水性接着剤組成物の曳糸長が９ｃｍ以下である、第十四の実施態様の接着剤。
［第十七の実施態様］
前記カチオン性増粘剤がカチオン性会合性ポリマー増粘剤を含む、第十四の実施態様の接着剤。
［第十八の実施態様］
前記カチオン性増粘剤がカチオン性架橋ポリマー増粘剤を含む、第十四の実施態様の接着剤。
［第十九の実施態様］
前記カチオン性架橋ポリマー増粘剤が、メタクリロイルオキシアルキルトリアルキルアンモニウム塩、アクリロイルオキシアルキルトリアルキルアンモニウム塩、および四級化ジアルキルアミノアルキルアクリルアミジン塩からなる群から選択された少なくとも１つのモノマー単位を含む、第十八の実施態様の接着剤。
［第二十の実施態様］
前記ポリマー接着剤材料が酢酸ビニルを含む、第十四の実施態様の水性接着剤。
［第二十一の実施態様］
ｐＨが７未満のポリマー接着剤材料と、
カチオン性増粘剤、またはｐＫａが３未満の少なくとも１つのアニオン性モノマーから形成されたアニオン性増粘剤と、
水と、
を含む水性接着剤組成物であって、
前記接着剤組成物の位相遅れが４５度以下であり、垂下距離が１０ｍｍ以下である組成物。
［第二十二の実施態様］
前記水性接着剤組成物の垂下距離が３ｍｍ以下である、第二十一の実施態様の接着剤。
［第二十三の実施態様］
前記水性接着剤組成物の曳糸長が９ｃｍ以下である、第二十一の実施態様の接着剤。
［第二十四の実施態様］
前記カチオン性増粘剤がカチオン性会合性ポリマー増粘剤を含む、第二十一の実施態様の接着剤。
［第二十五の実施態様］
前記カチオン性増粘剤がカチオン性架橋ポリマー増粘剤を含む、第二十一の実施態様の接着剤。
［第二十六の実施態様］
前記カチオン性架橋ポリマー増粘剤が、メタクリロイルオキシアルキルトリアルキルアンモニウム塩、アクリロイルオキシアルキルトリアルキルアンモニウム塩、および四級化ジアルキルアミノアルキルアクリルアミジン塩からなる群から選択された少なくとも１つのモノマー単位を含む、第二十五の実施態様の接着剤。
［第二十七の実施態様］
前記ポリマー接着剤材料が酢酸ビニルを含む、第二十一の実施態様の水性接着剤。
［第二十八の実施態様］
分注開口部を有するディスペンサー容器、および
ディスペンサー容器内に配置された水性接着剤組成物
を含む物品であって、
前記水性接着剤組成物が
ｐＨが７未満のポリマー接着剤材料と、
カチオン性増粘剤、またはｐＫａが３未満の少なくとも１つのアニオン性モノマーから形成されたアニオン性増粘剤と、
水と、
を含み、
前記水性接着剤組成物の曳糸長が９ｃｍ以下であり、垂下距離が１０ｍｍ以下である物品。
［第二十九の実施態様］
ディスペンサー開口部の断面積が０．２〜５０ｍｍ2の範囲である、第二十八の実施態様の物品。
［第三十の実施態様］
分注開口部を有するディスペンサー容器、および
ディスペンサー容器内に配置された水性接着剤組成物
を含む物品であって、
前記水性接着剤組成物が
ｐＨが７未満のポリマー接着剤材料と、
カチオン性増粘剤、またはｐＫａが３未満の少なくとも１つのアニオン性モノマーから形成されたアニオン性増粘剤と、
水と、
を含み、
前記水性接着剤組成物の位相遅れが３０度以下である物品。
［第三十一の実施態様］
前記ディスペンサー開口部の断面積が０．２〜５０ｍｍ2の範囲である、第三十の実施態様の物品。